(57)【要約】      （修正有）【課題】ガスコンロの燃焼安全装置が作動することなく、必要に応じて各種の被加熱体を充分に加熱することのできる付属用五徳を提供する。【解決手段】平面的に観て、ガスバーナの近傍に火力制御用の温度センサが取り付けられ、前記ガスバーナの周囲に五徳が配置されたガスコンロに、必要に応じて前記五徳に重ねて用いられる付属用五徳１０。この付属用五徳は、被加熱体を載置する被加熱体載置部１１と、この被加熱体載置部の外周に沿って複数設けられ、一端が前記加熱体と反対の側に延在する各脚部１２と、前記被加熱体載置部と距離を保って配置され、外周において前記各脚部と固定された載置支承部１３と、前記各脚部のうち少なくとも一つの脚部の他端の延在部に支持され、前記温度センサに対向配置される遮熱板１４Ａ，１４Ｂと、を備える。【選択図】図１
0003161185.tif 000002
【実用新案登録請求の範囲】
【請求項１】
平面的に観て、ガスバーナの近傍に火力制御用の温度センサが取り付けられ、前記ガスバーナの周囲に五徳が配置されたガスコンロに、必要に応じて前記五徳に重ねて用いられる付属用五徳であって、
被加熱体載置部と、
この被加熱体載置部の外周に沿って複数設けられ、一端が前記加熱体と反対の側に延在する各脚部と、
前記被加熱体載置部と距離を保って配置され、外周において前記各脚部と固定された載置支承部と、
前記各脚部のうち少なくとも一つの脚部の他端の延在部に支持され、前記温度センサに対向配置される遮熱板と、を備えて構成されていることを特徴とする付属用五徳。
【請求項２】
前記被加熱体載置部はリング状部材によって構成されていることを特徴とする請求項１に記載の付属用五徳。
【請求項３】
前記載置支承部はリング状部材によって構成されていることを特徴とする請求項１に記載の付属用五徳。
【請求項４】
前記載置支承部は前記加熱体載置部から３〜７ｃｍの範囲内の距離を保っていることを特徴とする請求項１に記載の付属用五徳。
【請求項５】
前記各脚部の前記一端の端部は前記載置支承部の固定部から延在する部分を有することを特徴とする請求項１に記載の付属用五徳。
【請求項６】
前記遮熱板は、複数からなり、前記温度センサに対向して並設されていることを特徴とする請求項１に記載の付属用五徳。
【請求項７】
前記各脚部のそれぞれの他端は、前記被加熱体載置部の固定部から前記被加熱体載置部の中心部に指向する延在部を有することを特徴とする請求項１ないし６のいずれかに記載の付属用五徳。
【考案の詳細な説明】
【技術分野】
【０００１】
本考案は、付属用五徳に係り、燃焼安全装置付きのガスコンロの既設の五徳とともに用いられる付属用五徳に関する。
【背景技術】
【０００２】
近年のガスコンロにおいては、過熱による火災を未然に防止するための燃焼安全装置が備えられたものが知られている。このような燃焼安全装置は、円環状のガスバーナのたとえば中央に温度センサを備え、この温度センサによってガスバーナ上に配置される被加熱体（たとえば鍋、フライパン等）の底部の温度をとり込み、この温度の値に応じてガスバーナからの炎の程度（炎の消失も含む）を制御するようにしている。
【０００３】
これにより、被加熱体の底部の温度を、常時、ある値の範囲内（たとえば２５０℃〜３００℃の範囲内）に保つことができ、この温度範囲を超えてしまう過熱によって、たとえば被加熱体内の油への引火等を未然に防止できるようになっている。
なお、このような構成からなるガスコンロにおいても、ガスバーナ上の被加熱体を前記ガスバーナから所定の距離に離間させるようにして配置させるため、被加熱体は、ガスコンロに搭載される五徳を介して載置されるようになっている。
【０００４】
本願考案と関連のある公知文献としては、たとえば、下記特許文献１、特許文献２がある。特許文献１には、燃焼安全装置付きのガスコンロによって加熱される焼き物調理器であって、この焼き物調理器の受熱板の温度センサと対向（接触）する個所に耐熱性材料を形成したものの開示がなされている。焼き物調理器の受熱板の過熱によって燃焼安全装置が容易に作動し、魚等の焼き物が焼けなくなってしまう不都合を前記耐熱性材料によって解消した構成となっている。
【０００５】
また、特許文献２には、ガスコンロにおいて、燃焼安全装置の配設の開示はないが、円環状のガスバーナの中央に二次空気通気管が備えられ、この二次空気通気管の管孔を被うように遮蔽板が配置された記載がある。前記遮蔽板によって二次空気通気管に煮こぼれが入るのを防止した構成となっている。
【先行技術文献】
【特許文献】
【０００６】
【特許文献１】特開平０７−２１３４３４号公報
【特許文献２】特開平０４−０１１３１４号公報
【考案の概要】
【考案が解決しようとする課題】
【０００７】
上述のような燃焼安全装置付きのガスコンロにおいては、被加熱体の過熱によって燃焼安全装置が容易に作動し、被加熱体が充分に焼けなくなってしまう不都合が生じることは否めない。このため、特許文献１に示したように、被加熱体である焼き物調理器に温度センサと対向（接触）する個所に耐熱性材料を形成する方法が揚げられる。
【０００８】
しかし、この耐熱性材料は、温度センサと接触しているため、充分な効果を達成することはできず、実際には燃焼安全装置が作動してしまうということが指摘される。
【０００９】
また、特許文献１に示す方法は、それぞれの焼き物調理器というように、各被加熱体においてそれぞれ耐熱性材料を形成する必要が生じる。このことは、耐熱性材料が形成されていない焼き物調理器においては、充分に魚等を焼くことができないという不都合が生じたままとなる。さらに、上述した焼き物調理器に限らず、たとえば練炭に火を付けるため、いわゆる火起こし器をガスコンロに載置する場合にも同様となる。練炭に火をつけるため、通常は早急に行うことが要望されることから、火力が強くなり、燃焼安全装置が容易に作動してしまう。このため、それぞれの火起こし器においても耐熱性材料を形成しなければならないという不都合が生じる。
このようなことから、焼き物調理器、火起こし器以外の他の種類の被加熱体においても、必要に応じて充分な加熱ができ、このような加熱は特別な工夫がなされていない被加熱体においても行い得ることが要望されることになる。
【００１０】
そこで、本考案は、上記問題点に鑑みなされたものであって、ガスコンロの燃焼安全装置が作動することなく、必要に応じて各種の被加熱体を充分に加熱することのできる付属用五徳を提供するものである。
【課題を解決するための手段】
【００１１】
上記課題を達成するため、本考案は以下のような構成によって把握される。
（１）本考案の付属用五徳は、平面的に観て、ガスバーナの近傍に火力制御用の温度センサが取り付けられ、前記ガスバーナの周囲に五徳が配置されたガスコンロに、必要に応じて前記五徳に重ねて用いられる付属用五徳であって、  被加熱体を載置する被加熱体載置部と、この被加熱体載置部の外周に沿って複数設けられ、一端が前記加熱体と反対の側に延在する各脚部と、前記被加熱体載置部と距離を保って配置され、外周において前記各脚部と固定された載置支承部と、前記各脚部のうち少なくとも一つの脚部の他端の延在部に支持され、前記温度センサに対向配置される遮熱板と、を備えて構成されていることを特徴とする。
【００１２】
（２）本考案の付属用五徳は、（１）において、前記被加熱体載置部はリング状部材によって構成されていることを特徴とする。
（３）本考案の付属用五徳は、（１）において、前記載置支承部はリング状部材によって構成されていることを特徴とする。
【００１３】
（４）本考案の付属用五徳は、（１）において、前記載置支承部は前記加熱体載置部から３〜７ｃｍの範囲内の距離を保っていることを特徴とする。
（５）本考案の付属用五徳は、（１）において、前記各脚部の前記一端の端部は前記載置支承部の固定部から延在する部分を有することを特徴とする。
（６）本考案の付属用五徳は、（１）において、前記遮熱板は、複数からなり、前記温度センサに対向して並設されていることを特徴とする。
【考案の効果】
【００１４】
このように構成された付属用五徳によれば、ガスコンロの燃焼安全装置が作動することなく、必要に応じて各種の被加熱体を充分に加熱することができるようになる。
【図面の簡単な説明】
【００１５】
【図１】本考案の付属用五徳の一実施態様を示す構成図である。
【図２】本考案の付属用五徳が用いられるガスコンロの概略を示す図である。
【図３】ガスコンロの既設の五徳に本考案の付属用五徳を重ねて配置した態様を示した図である。
【考案を実施するための形態】
【００１６】
以下、図面を参照して本考案について詳細に説明する。なお、実施形態の説明の全体を通して同じ構成部分には同じ番号を付している。
【００１７】
図１は、本考案の付属用五徳の一実施態様を示す構成図である。図１（ａ）は平面図、図１（ｂ）は図１（ａ）のｂ−ｂ’線における断面図である。本考案の付属用五徳１０は、必要に応じて、ガスコンロに既設の五徳に重ねて用いられるようになっている。
【００１８】
ここで、この付属用五徳１０の説明に先立って、この付属用五徳１０が用いられるガスコンロの概略について図２を用いて説明する。図２は、ガスコンロのガスバーナの近傍を示す図で、図２（ａ）は平面図、図２（ｂ）は図２（ａ）のｂ−ｂ’線における断面図である。
【００１９】
図２（ａ）において、まず、ガスコンロ３０の上面には、ガスバーナ３１がある。このガスバーナ３１は、その側面において、点火されたガス（燃焼ガス）が噴出する孔３２が周方向に沿って複数設けられている。また、ガスコンロ３０の上面には、ガスバーナ３１を被せるようにして五徳３３が配置されている。この五徳３３は、この明細書にいう付属用五徳１０とは別個の物として把握され、付属用五徳１０とともに用いられ、あるいは付属用五徳１０なしで独立に用いられる場合がある。
【００２０】
この五徳３３は、載置支承部３３Ａと被加熱体載置部３３Ｂとが一体になった金属体で構成されている。載置支承部３３Ａは、ガスバーナ３１と同心的に配置される円環状からなり、図２（ｂ）に示すように、ガスコンロ３１に形成された凹部３４内に位置づけられることによって位置決め配置されるようになっている。被加熱体載置部３３Ｂは、載置支承部３３Ａの周方向に沿って等間隔にたとえば６個設けられ、それぞれガスバーナ３１の中心に指向するように延在部を有して形成されている。すなわち、被加熱体載置部３３Ｂは、ガスバーナ３１の中心部で互いに連結されることなく放射状に配置され、それぞれ載置支承部３３Ａに固定された構成となっている。
【００２１】
さらに、平面的に観たガスバーナ３１の中心には当該ガスバーナ３１の火力制御用の温度センサ３５が配置されている。この温度センサ３５は、たとえば、その表面が被加熱体載置部３３Ｂの上面と高さがほぼ等しくなるように配置されている。五徳３０にたとえば鍋を載置した場合、温度センサ３５は鍋の底部に接触できるようにするためである。これにより、温度センサ３５は、鍋の底部の温度をとり込み、この温度の値に応じてガスバーナ３１からの炎の程度（炎の消失も含む）を制御するようになっている。そして、鍋の底部の温度を、たとえば２５０℃〜３００℃の範囲内に保ち、この温度範囲を超えた過熱による火災を未然に防止できるようになっている。
【００２２】
なお、このように構成されたガスコンロ３０において、たとえば焼き物調理器等を用いて魚等を焼く場合、焼き物調理器の過熱によって燃焼安全装置が容易に作動し、魚等が充分に焼けなくなってしまう不都合が生じることは上述した通りである。本考案の付属用五徳１０は、ガスコンロ３０の燃焼安全装置が作動することなく、必要に応じて各種の被加熱体を充分に加熱できるようになっている。
【００２３】
図１に戻り、本考案の付属用五徳１０は、まず、被加熱体載置部１１を備える。この被加熱体載置部１１は、たとえばリング状部材からなっており、被加熱体（図示せず）を直接に載置するようになっている。被加熱体としては、たとえば焼き物調理器、あるいは火起し器等である。
【００２４】
そして、被加熱体載置部１１には、複数の脚部１２が設けられている。これら脚部１２は、被加熱体載置部１１の周方向に沿って等間隔に、たとえば６個設けられている。各脚部１２と被加熱体載置部１１とは別個の部材で構成され、各脚部１２の被加熱体載置部１１との固定はたとえばスポット溶接によってなされている。これら各脚部１２は、被加熱体載置部１１に載置される被加熱体と反対の方向（図１（ｂ）において図中下側）に一端（図１（ｂ）中符号Ｔで示す）が延在するように形成されている。この場合、各脚部は、図１（ｂ）に示すように、被加熱体載置部１１に対して角度θ（＞９０°）の開きをもって延在され、被加熱体載置部１１とともに台形形状を構成するようになっている。付属用五徳１０として構造的な安定を図るためである。
【００２５】
さらに、各脚部１２の一端Ｔより被加熱体載置部１１の側へ若干隔たった個所に載置支承部１３が配置されている。載置支承部１３は、たとえばリング状部材からなり、その外周部が前記脚部１２のそれぞれに固定されることによって配置されている。載置支承部１３と各脚部１２との固定はたとえばスポット溶接によってなされている。この場合、載置支承部１３と被加熱体載置部１１は、平面的に観て（図１（ａ））、同心的に配置され、載置支承部１３の直径は被加熱体載置部１１の直径よりも若干大きくなっている。また、載置支承部１３は、それを含む仮想の平面と被加熱体載置部１１を含む仮想の平面とが平行となるように配置されている。そして、載置支承部１３と被加熱体載置部１１との間には、距離Ｗが保たれ、この距離Ｗは３〜７ｃｍの範囲内に設定されている。載置支承部１３と被加熱体載置部１１との間にこのような距離Ｗを設けることによって、ガスコンロ３０の燃焼安全装置が容易に作動しないようにしている。
【００２６】
さらに、図１（ａ）に示すように、平面的に観た被加熱体載置部１１と載置支承部１３の中心には、たとえば２個の遮熱板１４Ａ、１４Ｂが同軸に配置されている。２個の遮熱板１４Ａ、１４Ｂを用いた理由は、被加熱体から温度センサ３５への熱の伝導の遮蔽を効果あらしめるためである。このことから、遮熱板１４Ａ、１４Ｂは、２個に限定されることはなく、必要に応じて、１個であってもよく、また３個設けるようにしてもよい。これら遮熱板１４Ａ、１４Ｂは、図１（ｂ）に示すように、被加熱体載置部１１と載置支承部１３の間に配置され、被加熱体載置部１１側（図中上側）の遮熱板１４Ａは、たとえば径が大きく形成され、ガスバーナ３１側（図中下側）の遮熱板１４Ｂは、たとえば径が小さく形成されている。
【００２７】
遮熱板１４Ａは、６個の脚部のうち相対向する位置にある一対の脚部１２（たとえば図中１２Ａ、１２Ｂで示す）の各他端（一端Ｔ側と反対側の端部）が被加熱体載置部１１の中心部に指向して互いに連結された部分に支持されて配置されている。なお、脚部１２Ａ、１２Ｂの他端の上述した延在は、遮熱板１４Ａの配置高さに対応させるため、屈曲部１５Ａ、１５Ｂを介してなされている。
【００２８】
同様に、遮熱板１４Ｂも、前記遮熱板１４Ａを支持する一対の脚部１２Ａ、１２Ｂを除く他の脚部１２であって、相対向する位置にある一対の脚部１２（たとえば図中１２Ｃ、１２Ｄで示す）の各他端（一端Ｔ側と反対側の端部）が被加熱体載置部１１の中心部に指向して互いに連結された部分に支持されて配置されている。この場合においても、脚部１２Ｃ、１２Ｄの他端の上述した延在は、遮熱板１４Ｂの配置高さに対応させるため、屈曲部１６Ａ、１６Ｂを介してなされている。
【００２９】
なお、この実施例の場合、２個からなる遮熱板１４Ａ、１４Ｂを配置させた構成としていることから、６個の脚部１２のうち残り２個の脚部（たとえば図中１２Ｅ、１２Ｆで示す）は遮熱板を支持する必要がなくなる。このため、当該２個の脚部１２Ｅ、１２Ｆは、図１（ａ）に示すように、各他端部において、被加熱体載置部１１と載置支承部１３の中心まで延在されることはなく、途中で切断された構成としている。しかし、遮熱板を３個配置させる構成とした場合、これら２個の脚部１２Ｅ、１２Ｆにおいて、他の脚部１２Ａないし１２Ｄと同様に、遮熱板を支持する構成とするようにしてもよい。
上述したように、各脚部１２は、それぞれの他端において、遮蔽板１４Ａ、１４Ｂを支持するか否かに拘わらず、被加熱体載置部１１の固定部から前記被加熱体載置部１１の中央部に指向する延在部を有する構成となっている。このようにした場合、被加熱体の大きさに対応させ、前記被加熱体載置部１１の他に、各脚部１２の他端の前記延在部においても被加熱体載置部として機能させることができるようになる。これについては、後に図３を用いてさらに説明をする。
【００３０】
図３は、本考案の付属用五徳１０を図２に示したガスコンロ３０に使用した場合の態様を示した図である。図３に示した付属用五徳１０は、図１（ａ）のａ−ｂ’線における断面を示している。図３において、付属用五徳１０は、その載置支承部１３がガスコンロ３０の既設の五徳３３の被加熱体載置部３３Ｂに載置されることによって、前記五徳３３に重ねられて配置されるようになっている。この場合、付属用五徳１０は、その各脚部１２の載置支承部１３との固定部から若干延在した一端Ｔが既設の五徳３３の被加熱体載置部３３Ｂの側壁に当接するように、配置されるようになっている。これにより、付属用五徳１０の中心とガスコンロ３０のガスバーナ３１の中心をほぼ一致づけるように配置でき、付属用五徳１０は、既設の五徳３３に対して容易にずれてしまうのを回避できる効果を奏するようになる。
【００３１】
このように構成された付属用五徳１０は、図３に示すように、この付属用五徳３０に載置される被加熱体（たとえば焼き物調理器、火起し器等）を、従来の使用態様と比較して、温度センサ３５に対して距離Ｗだけ遠ざけて配置させることができる。
ここで、被加熱体がたとえば焼き物調理器等のように付属用五徳１０よりも大きく構成されている場合、該被加熱体は付属用五徳１０の被加熱体載置部１１に直接に当接されて載置されることになる。しかし、被加熱体がたとえば火起し器等のように付属用五徳１０よりも小さく構成されている場合、図３において図中一点鎖線に示すように、該被加熱体４０は、各脚部１２の前記一端Ｔと反対側の他端の延在部（被加熱体載置部１１の固定部から前記被加熱体載置部１１の中央部に指向する延在部）に直接当接させて載置させるようにできるようになる。この場合、被加熱体４０の周囲にはリング状の被加熱体載置部１１が配置されていることになり、被加熱体４０は被加熱体載置部１１によってずれ落ち防止が図れる効果を奏するようになる。
また、付属用五徳１０に遮熱板１４Ａ、１４Ｂを具備させることにより、前記遮熱板１４Ａ、１４Ｂは、被加熱体と温度センサ３５との間に配置されることになる。このことから、被加熱体が比較的高温に過熱されても、この際の温度を温度センサ３５が感知し難くなる。したがって、被加熱体は、燃焼安全装置を作動させることなく、充分に加熱されるようになる。そして、たとえば油等が充填された鍋等を加熱する場合には、付属用五徳１０を外し、従前のように、ガスコンロ３０の既設の五徳３３に前記鍋等を載置して加熱することによって、温度センサ３５は、鍋の底部の温度を正確にとり込み、鍋の底部の温度をたとえば２５０℃〜３００℃の範囲に保ち、油への引火による火災を防止するようになる。
【００３２】
このようなことから、焼き物調理器、火起こし器以外の他の種類の被加熱体においても、必要に応じて充分な加熱ができ、このような加熱は特別な工夫がなされていない被加熱体においても行うことができるようになる。
なお、被加熱体として火起こし器を用い、この火起こし器内の練炭等に火を付ける場合、付属用五徳１０によって、火起こし器をガスコンロ３０から遠ざけることができ、練炭からの熱がガスコンロ３０に悪影響を与えて損傷させる弊害を回避させる効果をも奏する。
【００３３】
以上、本考案の好ましい実施例について詳述したが、本考案は上述した実施例に限定されるものではなく、実用新案登録請求の範囲に記載された本考案の要旨の範囲内において、種々の変形、変化が可能である。
【符号の説明】
【００３４】
１０……付属用五徳、１１……被加熱体載置部、１２、１２Ａ〜１２Ｆ……脚部、１３……載置支承部、１４Ａ、１４Ｂ……遮熱板、１５Ａ、１５Ｂ、１６Ａ、１６Ｂ……屈曲部、３０……ガスコンロ、３１……ガスバーナ、３２……孔、３３……五徳、３３Ａ……載置支承部、３３Ｂ……被加熱体載置部、３４……凹部、３５……温度センサ、４０……被加熱体（たとえば火起こし器）。
【図１】
0003161185.tif 000003
【図２】
0003161185.tif 000004
【図３】
0003161185.tif 000005